(57)【要約】【課題】新規、或いは既存のガラス窓、及びガラス戸の断熱性、結露防止を大幅に、かつ簡単に誰でもが着脱により複重層構造に、あるいは単層構造に構成できるガラス戸等を提供することを目的とする。【解決手段】ガラス戸、及びガラス窓のサッシ枠体周面にマジックテープ（登録商標）を貼着し、また、このサッシ枠の少なくとも枠周面を覆い、かつ大きく変形しない剛性ある薄板の周面に上記マジックテープ（登録商標）と嵌め込むことができる位置にマジックテープを貼着し、マジックテープ（登録商標）の着脱だけで簡単に複重層構造のガラス戸、及びガラス窓、あるいは単層のガラス戸、ガラス窓に温度に対応して交換でき、断熱性、結露防止などが達成できると共に、エネルギーの消費量削減や快適環境にすることができる。また、調湿材、吸水材、吸湿材を薄板下端部に設けた際は、空気層のこれら特性を大幅に向上で、更に断熱性、結露防止、経経済性の更なる向上が図れる。【選択図】図１
0003126909.tif 000002
【実用新案登録請求の範囲】
【請求項１】
ガラス戸等の室内側の枠体周面にマジックテープのテープ部を一体に接着し、また、該枠体の少なくとも内側端面より大きな薄板の周面にマジックテープのテープ部を一体に接着し、該両マジックテープの嵌め込み部を一体に嵌め込むことにより着脱自在な複重層のガラス戸を構成したことを特徴とする簡易型のガラス戸。
【請求項２】
前記ガラス戸の枠体が新規、或いは既存のいずれかで、かつ材質が金属製、木製、樹脂製の一種あることを特徴とする請求項１記載の簡易型のガラス戸。
【請求項３】
前記薄板は光が透過する透明、半透明、不透明の一種の複合ガラス製、樹脂製の一種以上からなり、かつ形状を最終的に維持できる剛性を有する厚さからなることを特徴とする請求項１又は２記載の簡易型のガラス戸。
【請求項４】
前記薄板の床側の下端部に吸湿材、吸水材、調湿材の少なくとも１種以上を収納した容器を着脱自在に設けたことを特徴とする請求項１から４記載のいずれかに記載の簡易型のガラス戸。
【考案の詳細な説明】
【技術分野】
【０００１】  本考案は、寒冷地のような季節によって大きな温度差がある内、外気と接触するガラス戸の断熱性の向上と結露防止を薄板の簡単な着脱により図る複重層構造の簡易型のガラス戸、及びガラス窓（以下、単にガラス戸という。）に関する。
【技術的背景】
【０００２】  従来から、寒冷地において新規又は既存のガラス戸として、例えば２重サッシ、或いは３重サッシのガラス戸が知られている。また、既存のガラス戸や安価な新規ガラス戸では、ガラス単板のガラス戸構造が普通である。その断熱化対策としては、単板ガラス戸の室内側のガラス面に断熱パネル本体を吸盤で一体化し、周囲の隙間をシールテープで封止し、かつパネル本体枠に空気流通孔を設けたガラス戸用断熱パネルが開示されている（例えば、特許文献１参照）。また、室内側ガラス戸にマグネットを含有した取り付け部材に樹脂板を取着した断熱ガラス戸が知られている。（例えば，特許文献２参照）。
さらに，ガラス窓の室内側ガラス面に合成樹脂フィルムよりなる断熱用フィルム窓のガラスからある隙間を隔て貼着しガラス戸の断熱の向上、結露防止等の構造が開示されている。（例えば、特許文献３）。また、室内側ガラス面にポリカーボネート板間にクッション材を介在させて空気層を設けた二重ガラス戸が開示されている。（特許文献４参照）。
【０００３】
【特許文献１】    特開平０７ー２８６４８１号公報
【特許文献２】    特開平１０−１４０９７３号公報
【特許文献３】    特開２００４−７６５４５号公報
【特許文献４】    特開２００５−１４６８２５号公報
【考案の開示】
【考案が解決しようとする課題】
【０００４】  しかしながら、特許文献１に記載の複重層ガラス戸は、断熱パネル本体の構成が複雑で効果であり、しかも隙間をシールテープで封止せざるを得ず、装着もワンタッチのように簡単に施工できない不利がある。また、特許文献２に記載の断熱ガラス窓の構成では、着脱は簡単ですが、マジックテープのガラス戸への接着層は常時存在し、視界が狭められるおそれがある。さらに、特許文献３に記載のガラス窓等の断熱、結露防止構造の構成では、断熱用フイルムの断熱性と空気層の容積からこれらの効果があまり期待できないし、フィルムが温度により皺などになり、美観を損ね、かつ交換が複雑となる欠点がある。その上、特許文献４に記載の二重ガラス構造は、クッション材が視界の美観を損ねるおそれがあり、温度変化でクッションが変位する不具合もあり、かつレールへのポリカーボネート板の嵌着には枠体構成から課題がある。
そこで、本考案は、単層ガラス戸の複重層化、単層化を着脱により簡単に形成できる構造とし、かつ断熱性、結露防止、遮光性、明るさ、経済性と誰でも簡単に単層、複層、多重層に構成できる複重層のガラス戸を提供することを目的とする。
【課題を解決するための手段】
【０００５】  本考案は、このような欠点を除去するため、単層のガラス戸の枠体の室内側の周面にマジックテープ（登録商標）のような嵌め込み構造のテープ材を接着し、また複層となる薄板の室内側で、かつその周端面に上記テープ材と着脱容易に嵌合しするマジックテープ材を一体に接着した薄板とを設け、上記テープを組み合わせ、ガラス戸と薄板間にある程度の機密性を有する空気層を設けた複重層の構成としたガラス戸としたものである。【０００６】  このような構成により、空気層が２層あるいは３層以上を簡単に、かつ技術の熟練を要することなく誰でれでも着脱するだけで簡単に形成できるので、用途、季節の変化に直ちに対応でき、エネルギー消費の削減、断熱性アップと結露防止で居住環境の向上、構築物、及び木製のサッシの腐敗防止も図れ、しかも金属製のサッシでも熱伝導性を抑制できる。【０００７】  本考案に係る枠体は、金属製枠、木製枠、樹脂製枠等のいずれかからなり、ガラスをゴム、合成ゴム等のパッキング材等を介して挟持され、しかもシールされた構造で、この枠体のガラス戸と平行な周面の端縁部にマジックテープのテープ面を接着剤で一体に貼り付け、マジック面が外側に露出した構成にしてあるため、薄板と組み合わせるだけの簡単な作業でガラス戸と薄板間に或程度の気密性のある空気層を形成できるので断熱性の向上と結露の発生を抑制、或いは阻止できる。【０００８】  また、薄板は、明るさ、外気の熱線、光を透過し、かつ或程度の保形成を有しており、ガラス戸表面に密着したり、接触したせず、目的に応じた空気層の寸法を形成でき、しかも嵩が大きく突出しないため美観も良く、季節間の違和感を感じさせない利点がある。さらに、非常に安価に制作できるので経済的負担も少なく、従来より大幅なコストダウンが図れる。【０００９】  さらに、マジックテープの特性は、構成要素であるマジックの嵌合密度、植設密度、高さ等で目的の性能に対応して製造できるので空気層の容量も選択できる。【００１０】  さらにまた、薄板の内側（室外側）の底辺に吸湿材、吸水材、調湿材等の１種以上を充填して、ガラス板と薄板間に形成した空気層の湿度をコントロールして結露防止と断熱性の向上を図ることができる。【００１１】  本考案に係る薄板の表裏面のいずれかに温度によって色相が変化する蓄光塗料や色相塗料の薄い塗膜を形成し、屋内の温度を表示させ温度調整を容易にできる。
【考案の効果】
【００１２】  本考案に係るガラス戸によれば、既設または新規に関わらず単板ガラス戸構造のガラス戸をマジックテープの着脱だけで２重層、３重層のガラス戸に構成でき、季節の寒暖の差を新設した空気層の断熱性で容易に調整しエネルギーの効率的な利用と使用量の削減、結露による濡れ、枠体の腐食を阻止し、かつ窓の視野を殆ど狭めることなく複重層のガラス戸を構成できる特徴がある。【００１３】  また、薄板の下端部に吸湿材、吸水材、調湿材を収納し、充填する容器を着脱自在に設けたため、ガラス戸と薄板間の空気層の湿度をコントロールできるので断熱性を大幅にアップできる。しかも、水が容器に蓄水した際は、薄板を脱着して容器の中の水を空気層の外部へ除去すれば、性能を常に一定に維持できる。【００１４】  本考案では、薄板の表、裏面のいずれか一面に温度により色相が変化する蓄光塗料、色調塗料からなる薄い塗膜を形成してあるため屋内からガラス戸の薄板の温度を確認でき、屋内温度がわかり、暖房機等の運転や服装の対応が容易になる。
【考案を実施するための最良の形態】
【００１５】  以下に、図面を用いて本考案に係るガラス戸の一実施例について詳細に説明する。図１は本考案に係るガラス戸の全体を断面で示す概略説明図であり、１はガラス戸で金属製、あるいは木製、樹脂製のサッシ枠２にパキン材３を介してガラス板４が装着されている。５は薄板でしわにならず、及びフイルムのような可撓性がなく、ほどほどの剛性を有する厚さに形成し、透明性、半透明性、光を透過する程度の特性を有する。また、薄板５の材質は合成樹脂製、ガラス、紙製、複合ガラス等の１種を用い、その厚さは、例えば、０，５ｍｍ〜２ｍｍ程度の材料を採用する。勿論、所定の剛性があれば厚さは低減できるものである。【００１６】  さらに説明すると、６はマジックテープで（登録商標）で図２に図１のＡ部を拡大して示すように接着層を有するテープ部７と嵌め込み部８からなり、サッシ枠２の室内側周面に図３に薄板５を切り欠いて示すように貼着する。また、薄板５の室外側、所謂ガラス板側の周面に図４に示すように上記枠体２のマジックテープ６とマッチングする位置に貼着するものである。【００１７】  ９は空気層でガラス板４と薄板５で封止された空間であり、断熱性と結露防止に役立つものである。勿論、防音性のアップも図れる。この空気層９の容積はサッシ枠２の高さ寸法とマジックテープ６の嵌め込み寸法によって異なり、後記する補助材を用いた際は、任意に形成できる。なお、封止（密封程度）度合は、嵌め込み部８の密度に大きく左右される。【００１８】  容器１０は、例えば図５に於いてＡ−Ａ線で断面し図６に拡大して示すような位置に設置し、図７に示すような例えば、箱状に形成し、その内部に主に調材１１、吸水材１２、吸湿材１３等の１種以上を収容するもである。さらに説明すると、容器１０は薄板５の窓下になる端部にマジックテープ６で着脱自在に装着する。容器１０の材質は、軽量な材質、例えば合成樹脂製、合成ゴム材、または軽量な金属材からなり、かつあまり目立たない大きさに構成したものである。【００１９】  調湿材１１は珪藻土、ゼオライト、炭、有機繊維物の１種以上からなり、吸水材１２は吸水樹脂、セルロール誘導体等の１種以上を用い、吸湿材１３はシリカゲル、炭カル、ゼオライト等の１種からなり、空気層９の温度、湿度をコントロールするのに役立つものである。【００２０】  蓄光塗料層１４は、薄板５の表、裏面のいずれか一面に塗布して形成したもんであり、その膜厚は１０〜５０ミクロン単位である。その材料としては、公知の素材を用いる。【００２１】  図８は薄板５の例えば、一面（室内側）に蓄光塗膜層１４を設けた薄板５であり、居ながらにして空気層９，または室内の温度環境が誰にでも解る。【００２２】  以上説明したのは、本考案に係るガラス戸の最良の形態であり、マジックテープ６の装着には、図９（ａ），（ｂ）に示す構造で薄板５を嵌め込むこともできる。すなわち、図（ａ）はサッシ枠２の内側の形状にマッチした補助材１５を装着した場合、図（ｂ）はマジックテープ６のサッシ枠２とパッキング３の形状から接着強度補強の意味からテープ部７を多めに装着した場合を示すものである。（ｃ）図は薄板５に補強線、例えば樹脂製、綿、ガラス繊維等の網状物、線１６を配置して��イルム的な素材を薄板５の強度を持つ材質に形成した場合を示す断面図である。
【図面の簡単な説明】
【００２３】
【図１】本考案に係るガラス戸の一実施例を示す概略断面説明図である。
【図２】図１のＡ部を拡大して示す断面図である。
【図３】本考案に係るガラス戸の一実施例を示す平面図である。
【図４】本考案に係る薄板の一実施例を示す概略説明斜視図である。
【図５】本考案に係るガラス戸の一実施例を示す平面図である。
【図６】図５のＡーＡ線における断面説明図である。
【図７】本考案に係る容器を示す概略断面説明図である。
【図８】本考案に係る薄板の一実施例を示す斜視図である。
【図９】本考案に係るガラス戸のその他の実施例を示す部分断面図である。
【符号の説明】
１    ガラス戸
２    サッシ枠
３    パッキン材
４    ガラス板
５    薄板
６    マジックテープ
７    テープ部
８    嵌め込み部
９    空気層
１０  容器
１１  調湿材
１２  吸水材
１３  吸湿材
１４  蓄光塗膜層
【図１】
0003126909.tif 000003
【図２】
0003126909.tif 000004
【図３】
0003126909.tif 000005
【図４】
0003126909.tif 000006
【図５】
0003126909.tif 000007
【図６】
0003126909.tif 000008
【図７】
0003126909.tif 000009
【図８】
0003126909.tif 000010
【図９】
0003126909.tif 000011
【手続補正書】
【提出日】平成18年7月20日(2006.7.20)
【手続補正１】
【補正対象書類名】実用新案登録請求の範囲
【補正対象項目名】請求項１
【補正方法】変更
【補正の内容】
【請求項１】
ガラス戸等の室内側の枠体周面にマジックテープ（登録商標）のテープ部を一体に接着し、また、該枠体の少なくとも内側端面より大きな薄板の周面にマジックテープ（登録商標）のテープ部を一体に接着し、該両マジックテープ（登録商標）の嵌め込み部を一体に嵌め込むことにより着脱自在な複重層の
ガラス戸を構成したことを特徴とする簡易型のガラス戸。
【手続補正２】
【補正対象書類名】明細書
【補正対象項目名】全文
【補正方法】変更
【補正の内容】
【考案の詳細な説明】
【技術分野】
【０００１】  本考案は、寒冷地のような季節によって大きな温度差がある内、外気と接触するガラス戸の断熱性の向上と結露防止を薄板の簡単な着脱により図る複重層構造の簡易型のガラス戸、及びガラス窓（以下、単にガラス戸という。）に関する。
【技術的背景】
【０００２】  従来から、寒冷地において新規又は既存のガラス戸として、例えば２重サッシ、或いは３重サッシのガラス戸が知られている。また、既存のガラス戸や安価な新規ガラス戸では、ガラス単板のガラス戸構造が普通である。その断熱化対策としては、単板ガラス戸の室内側のガラス面に断熱パネル本体を吸盤で一体化し、周囲の隙間をシールテープで封止し、かつパネル本体枠に空気流通孔を設けたガラス戸用断熱パネルが開示されている（例えば、特許文献１参照）。また、室内側ガラス戸にマグネットを含有した取り付け部材に樹脂板を取着した断熱ガラス戸が知られている。（例えば，特許文献２参照）。
さらに，ガラス窓の室内側ガラス面に合成樹脂フィルムよりなる断熱用フィルム窓のガラスからある隙間を隔て貼着しガラス戸の断熱の向上、結露防止等の構造が開示されている。（例えば、特許文献３）。また、室内側ガラス面にポリカーボネート板間にクッション材を介在させて空気層を設けた二重ガラス戸が開示されている。（特許文献４参照）。
【０００３】
【特許文献１】    特開平０７−２８６４８１号公報
【特許文献２】    特開平１０−１４０９７３号公報
【特許文献３】    特開２００４−７６５４５号公報
【特許文献４】    特開２００５−１４６８２５号公報
【考案の開示】
【考案が解決しようとする課題】
【０００４】  しかしながら、特許文献１に記載の複重層ガラス戸は、断熱パネル本体の構成が複雑でであり、しかも隙間をシールテープで封止せざるを得ず、装着もワンタッチのように簡単に施工できない不利がある。また、特許文献２に記載の断熱ガラス窓の構成では、着脱は簡単ですが、マジックテープ（登録商標）のガラス戸への接着層は常時存在し、視界が狭められるおそれがある。さらに、特許文献３に記載のガラス窓等の断熱、結露防止構造の構成では、断熱用フイルムの断熱性と空気層の容積からこれらの効果があまり期待できないし、フィルムが温度により皺などになり、美観を損ね、かつ交換が複雑となる欠点がある。その上、特許文献４に記載の二重ガラス構造は、クッション材が視界の美観を損ねるおそれがあり、温度変化でクッションが変位する不具合もあり、かつレールへのポリカーボネート板の嵌着には枠体構成から課題がある。
そこで、本考案は、単層ガラス戸の複重層化、単層化を着脱により簡単に形成できる構造とし、かつ断熱性、結露防止、遮光性、明るさ、経済性と誰でも簡単に単層、複層、多重層に構成できる複重層のガラス戸を提供することを目的とする。
【課題を解決するための手段】
【０００５】  本考案は、このような欠点を除去するため、単層のガラス戸の枠体の室内側の周面にマジックテープ（登録商標）のような嵌め込み構造のテープ材を接着し、また複層となる薄板の室内側で、かつその周端面に上記テープ材と着脱容易に嵌合しするマジックテープ（登録商標）材を一体に接着した薄板とを設け、上記テープを組み合わせ、ガラス戸と薄板間にある程度の機密性を有する空気層を設けた複重層の構成としたガラス戸としたものである。【０００６】  このような構成により、空気層が２層あるいは３層以上を簡単に、かつ技術の熟練を要することなく誰でれでも着脱するだけで簡単に形成できるので、用途、季節の変化に直ちに対応でき、エネルギー消費の削減、断熱性アップと結露防止で居住環境の向上、構築物、及び木製のサッシの腐敗防止も図れ、しかも金属製のサッシでも熱伝導性を抑制できる。【０００７】  本考案に係る枠体は、金属製枠、木製枠、樹脂製枠等のいずれかからなり、ガラスをゴム、合成ゴム等のパッキング材等を介して挟持され、しかもシールされた構造で、この枠体のガラス戸と平行な周面の端縁部にマジックテープ（登録商標）のテープ面を接着剤で一体に貼り付け、マジック面が外側に露出した構成にしてあるため、薄板と組み合わせるだけの簡単な作業でガラス戸と薄板間に或程度の気密性のある空気層を形成できるので断熱性の向上と結露の発生を抑制、或いは阻止できる。【０００８】  また、薄板は、明るさ、外気の熱線、光を透過し、かつ或程度の保形成を有しており、ガラス戸表面に密着したり、接触したせず、目的に応じた空気層の寸法を形成でき、しかも嵩が大きく突出しないため美観も良く、季節間の違和感を感じさせない利点がある。さらに、非常に安価に制作できるので経済的負担も少なく、従来より大幅なコストダウンが図れる。【０００９】  さらに、マジックテープ（登録商標）の特性は、構成要素であるマジックの嵌合密度、植設密度、高さ等で目的の性能に対応して製造できるので空気層の容量も選択できる。【００１０】  さらにまた、薄板の内側（室外側）の底辺に吸湿材、吸水材、調湿材等の１種以上を充填して、ガラス板と薄板間に形成した空気層の湿度をコントロールして結露防止と断熱性の向上を図ることができる。【００１１】  本考案に係る薄板の表裏面のいずれかに温度によって色相が変化する蓄光塗料や色相塗料の薄い塗膜を形成し、屋内の温度を表示させ温度調整を容易にできる。
【考案の効果】
【００１２】  本考案に係るガラス戸によれば、既設または新規に関わらず単板ガラス戸構造のガラス戸をマジックテープ（登録商標）の着脱だけで２重層、３重層のガラス戸に構成でき、季節の寒暖の差を新設した空気層の断熱性で容易に調整しエネルギーの効率的な利用と使用量の削減、結露による濡れ、枠体の腐食を阻止し、かつ窓の視野を殆ど狭めることなく複重層のガラス戸を構成できる特徴がある。【００１３】  また、薄板の下端部に吸湿材、吸水材、調湿材を収納し、充填する容器を着脱自在に設けたため、ガラス戸と薄板間の空気層の湿度をコントロールできるので断熱性を大幅にアップできる。しかも、水が容器に蓄水した際は、薄板を脱着して容器の中の水を空気層の外部へ除去すれば、性能を常に一定に維持できる。【００１４】  本考案では、薄板の表、裏面のいずれか一面に温度により色相が変化する蓄光塗料、色調塗料からなる薄い塗膜を形成してあるため屋内からガラス戸の薄板の温度を確認でき、屋内温度がわかり、暖房機等の運転や服装の対応が容易になる。
【考案を実施するための最良の形態】
【００１５】  以下に、図面を用いて本考案に係るガラス戸の一実施例について詳細に説明する。図１は本考案に係るガラス戸の全体を断面で示す概略説明図であり、１はガラス戸で金属製、あるいは木製、樹脂製のサッシ枠２にパキン材３を介してガラス板４が装着されている。５は薄板でしわにならず、及びフイルムのような可撓性がなく、ほどほどの剛性を有する厚さに形成し、透明性、半透明性、光を透過する程度の特性を有する。また、薄板５の材質は合成樹脂製、ガラス、紙製、複合ガラス等の１種を用い、その厚さは、例えば、０，５ｍｍ〜２ｍｍ程度の材料を採用する。勿論、所定の剛性があれば厚さは低減できるものである。【００１６】  さらに説明すると、６はマジックテープ（登録商標）で図２に図１のＡ部を拡大して示すように接着層を有するテープ部７と嵌め込み部８からなり、サッシ枠２の室内側周面に図３に薄板５を切り欠いて示すように貼着する。また、薄板５の室外側、所謂ガラス板側の周面に図４に示すように上記枠体２のマジックテープ（登録商標）６とマッチングする位置に貼着するものである。【００１７】  ９は空気層でガラス板４と薄板５で封止された空間であり、断熱性と結露防止に役立つものである。勿論、防音性のアップも図れる。この空気層９の容積はサッシ枠２の高さ寸法とマジックテープ（登録商標）６の嵌め込み寸法によって異なり、後記する補助材を用いた際は、任意に形成できる。なお、封止（密封程度）度合は、嵌め込み部８の密度に大きく左右される。【００１８】  容器１０は、例えば図５に於いてＡ−Ａ線で断面し図６に拡大して示すような位置に設置し、図７に示すような例えば、箱状に形成し、その内部に主に調材１１、吸水材１２、吸湿材１３等の１種以上を収容するもである。さらに説明すると、容器１０は薄板５の窓下になる端部にマジックテープ（登録商標）６で着脱自在に装着する。容器１０の材質は、軽量な材質、例えば合成樹脂製、合成ゴム材、または軽量な金属材からなり、かつあまり目立たない大きさに構成したものである。【００１９】  調湿材１１は珪藻土、ゼオライト、炭、有機繊維物の１種以上からなり、吸水材１２は吸水樹脂、セルロール誘導体等の１種以上を用い、吸湿材１３はシリカゲル、炭カル、ゼオライト等の１種からなり、空気層９の温度、湿度をコントロールするのに役立つものである。【００２０】  蓄光塗料層１４は、薄板５の表、裏面のいずれか一面に塗布して形成したもんであり、その膜厚は１０〜５０ミクロン単位である。その材料としては、公知の素材を用いる。【００２１】  図８は薄板５の例えば、一面（室内側）に蓄光塗膜層１４を設けた薄板５であり、居ながらにして空気層９，または室内の温度環境が誰にでも解る。【００２２】  以上説明したのは、本考案に係るガラス戸の最良の形態であり、マジックテープ（登録商標）６の装着には、図９（ａ），（ｂ）に示す構造で薄板５を嵌め込むこともできる。すなわち、図（ａ）はサッシ枠２の内側の形状にマッチした補助材１５を装着した場合、図（ｂ）はマジックテープ（登録商標）６のサッシ枠２とパッキング３の形状から接着強度補強の意味からテープ部７を多めに装着した場合を示すものである。（ｃ）図は薄板５に補強線��例えば樹脂製、綿、ガラス繊維等の網状物、線１６を配置してフイルム的な素材を薄板５の強度を持つ材質に形成した場合を示す断面図である。
【図面の簡単な説明】
【００２３】
【図１】考案に係るガラス戸の一実施例を示す概略断面説明図である。
【図２】図１のＡ部を拡大して示す断面図である。
【図３】本考案に係るガラス戸の一実施例を示す平面図である。
【図４】本考案に係る薄板の一実施例を示す概略説明斜視図である。
【図５】本考案に係るガラス戸の一実施例を示す平面図である。
【図６】図５のＡ−Ａ線における断面説明図である。
【図７】本考案に係る容器を示す概略断面説明図である。
【図８】本考案に係る薄板の一実施例を示す斜視図である。
【図９】本考案に係るガラス戸のその他の実施例を示す部分断面図である。
【符号の説明】
１    ガラス戸
２    サッシ枠
３    パッキン材
４    ガラス板
５    薄板
６    マジックテープ（登録商標）
７    テープ部
８    嵌め込み部
９    空気層
１０  容器
１１  調湿材
１２  吸水材
１３  吸湿材
１４  蓄光塗膜層